【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
基準電圧出力端子を有し、基準電圧を生成して前記基準電圧出力端子から出力する基準電圧発生回路と、
前記基準電圧が入力され、被駆動素子を前記基準電圧に応じた駆動量で駆動させる駆動回路部と
を備え、
前記基準電圧発生回路は、
第１の電圧を生成するレギュレータ電圧発生部と、
第１の電位供給部と第２の電位供給部とから電位が供給され、前記第１の電圧及び温度に応じた第２の電圧を生成する温度補償部と、
前記第２の電圧を増倍して前記基準電圧を生成し、前記基準電圧を前記基準電圧出力端子に供給する電圧増倍部と
を備えたことを特徴とする駆動回路。
【請求項２】
前記温度補償部は、ベース端子とコレクタ端子とエミッタ端子とを持つバイポーラトランジスタと、第３の抵抗とを有し、
前記バイポーラトランジスタ及び前記第３の抵抗は、前記エミッタ端子と前記第３の抵抗とを接続してなるエミッタフォロワ回路を形成し、
前記ベース端子に前記第１の電圧が印加され、
前記コレクタ端子に前記第１の電位供給部の電位が印加され、
前記エミッタ端子に前記第３の抵抗を介して前記第２の電位供給部が接続される
ことを特徴とする請求項１に記載の駆動回路。
【請求項３】
前記電圧増倍部は、非反転入力端子と反転入力端子と出力端子とを持つ演算増幅器と、第１の抵抗と、第２の抵抗とを有し、
前記非反転入力端子に前記第２の電圧が印加され、
前記出力端子は前記第２の抵抗を介して前記反転入力端子に接続され、
前記反転入力端子は前記第１の抵抗を介して第２の電位供給部に接続され、
前記出力端子は前記基準電圧出力端子に接続された
ことを特徴とする請求項１又は２に記載の駆動回路。
【請求項４】
前記温度補償部は、ベース端子とコレクタ端子とエミッタ端子とを持つバイポーラトランジスタと、第３の抵抗とを有し、
前記バイポーラトランジスタ及び前記第３の抵抗は、前記エミッタ端子と前記第３の抵抗とを接続してなるエミッタフォロワ回路を形成し、
前記ベース端子に前記第１の電圧が印加され、
前記エミッタ端子は前記第３の抵抗を介して前記第２の電位供給部に接続され、
前記電圧増倍部は、第１の電位供給部の電位が印加される電源側端子を有するカレントミラー回路と、前記カレントミラー回路の従属側端子と前記第２の電位供給部との間に接続された第４の抵抗とを有し、
前記バイポーラトランジスタの前記コレクタ端子と前記カレントミラー回路の制御側端子とが接続された
ことを特徴とする駆動回路。
【請求項５】
前記バイポーラトランジスタの前記ベース端子と前記エミッタ端子とを接続する第５の抵抗をさらに備えたことを特徴とする請求項４に記載の駆動回路。
【請求項６】
前記電圧増倍部は、
前記第１の電位供給部と前記カレントミラー回路の制御側の電源側端子との間に配置された第６の抵抗と、
前記第１の電位供給部と前記カレントミラー回路の従属側の電源側端子との間に配置された第７の抵抗と
をさらに有することを特徴とする請求項４に記載の駆動回路。
【請求項７】
前記駆動回路部は、
前記基準電圧に応じた値の制御電圧を生成する制御電圧発生回路と、
前記制御電圧に応じた駆動量で前記被駆動素子を駆動させる素子駆動部と
を有することを特徴とする請求項１乃至６のいずれか１項に記載の駆動回路。
【請求項８】
前記制御電圧発生回路は、第１非制御端子と第２非制御端子と制御端子とを持つ第１導電型トランジスタと、ベース端子とコレクタ端子とエミッタ端子とを持つバイポーラトランジスタと、第８の抵抗とを有し、
前記バイポーラトランジスタのエミッタ端子と前記第８の抵抗とを接続してエミッタフォロワ回路を形成し、
前記バイポーラトランジスタのコレクタ端子と前記第１の電位供給部との間に前記第１導電型トランジスタの第１非制御端子と第２非制御端子が接続され、
前記第１非制御端子は前記第１の電位供給部に接続され、
前記バイポーラトランジスタのコレクタ端子と前記第２非制御端子と前記制御端子とは、互いに接続され、
前記制御電圧は、前記前記第２非制御端子に発生する
ことを特徴とする請求項７に記載の駆動回路。
【請求項９】
被駆動素子と、
前記被駆動素子を駆動する駆動回路と
を含む駆動装置において、
前記駆動回路は、
基準電圧出力端子を有し、基準電圧を生成して前記基準電圧出力端子から出力する基準電圧発生回路と、
前記基準電圧が入力され、前記被駆動素子を前記基準電圧に応じた駆動量で駆動させる駆動回路部と
を備え、
前記基準電圧発生回路は、
第１の電圧を生成するレギュレータ電圧発生部と、
第１の電位供給部と第２の電位供給部とから電位が供給され、前記第１の電圧及び温度に応じた第２の電圧を生成する温度補償部と、
前記第２の電圧を増倍して前記基準電圧を生成し、前記基準電圧を前記基準電圧出力端子に供給する電圧増倍部と
を備えたことを特徴とする駆動装置。
【請求項１０】
被駆動素子と前記被駆動素子を駆動する駆動回路とを含む露光用プリントヘッドを備えた画像形成装置において、
前記駆動回路は、
基準電圧出力端子を有し、基準電圧を生成して前記基準電圧出力端子から出力する基準電圧発生回路と、
前記基準電圧が入力され、前記被駆動素子を前記基準電圧に応じた駆動量で駆動させる駆動回路部と
を備え、
前記基準電圧発生回路は、
第１の電圧を生成するレギュレータ電圧発生部と、
第１の電位供給部と第２の電位供給部とから電位が供給され、前記第１の電圧及び温度に応じた第２の電圧を生成する温度補償部と、
前記第２の電圧を増倍して前記基準電圧を生成し、前記基準電圧を前記基準電圧出力端子に供給する電圧増倍部と
を備えたことを特徴とする画像形成装置。
【手続補正２】
【補正対象書類名】明細書
【補正対象項目名】００１１
【補正方法】変更
【補正の内容】
【００１１】
本発明に係る駆動装置は、被駆動素子と、前記被駆動素子を駆動する駆動回路とを含む駆動装置において、前記駆動回路は、基準電圧出力端子を有し、基準電圧を生成して前記基準電圧出力端子から出力する基準電圧発生回路と、前記基準電圧が入力され、前記被駆動素子を前記基準電圧に応じた駆動量で駆動させる駆動回路部とを備え、前記基準電圧発生回路は、第１の電圧を生成するレギュレータ電圧発生部と、第１の電位供給部と第２の電位供給部とから電位が供給され、前記第１の電圧及び温度に応じた第２の電圧を生成する温度補償部と、前記第２の電圧を増倍して前記基準電圧を生成し、前記基準電圧を前記基準電圧出力端子に供給する電圧増倍部とを備えたことを特徴としている。
【手続補正３】
【補正対象書類名】明細書
【補正対象項目名】００１２
【補正方法】変更
【補正の内容】
【００１２】
本発明に係る画像形成装置は、被駆動素子と前記被駆動素子を駆動する駆動回路とを含む露光用プリントヘッドを備えた装置であって、前記駆動回路は、基準電圧出力端子を有し、基準電圧を生成して前記基準電圧出力端子から出力する基準電圧発生回路と、前記基準電圧が入力され、前記被駆動素子を前記基準電圧に応じた駆動量で駆動させる駆動回路部とを備え、前記基準電圧発生回路は、第１の電圧を生成するレギュレータ電圧発生部と、第１の電位供給部と第２の電位供給部とから電位が供給され、前記第１の電圧及び温度に応じた第２の電圧を生成する温度補償部と、前記第２の電圧を増倍して前記基準電圧を生成し、前記基準電圧を前記基準電圧出力端子に供給する電圧増倍部とを備えたことを特徴としている。